(57)【要約】【課題】デジタル複写機の試しコピーの際に１部出力するとともにプレビュー画面を表示し、ページの削除、追加、回転を行えるようにする。【解決手段】外部記憶装置に読み込んだ画像データを蓄積し印刷するデジタル複写機において、入力された部数にかかわらず１部印刷すると同時に、プレビュー画面を表示し、プレビュー画面で指定したページの画像データを消去し、プレビュー画面でしていた画像データを回転し、プレビュー画面表示時に追加ページの読み込みをし、プレビュー画面で指定したページの前に挿入し、印刷するシステム。【選択図】　　　　図１
2004015475.tif 000002
【特許請求の範囲】
【請求項１】
読み取り装置で原稿を読み取り画像データを生成し、画像データを外部記憶装置に保存し、ユーザーの設定した出力設定に従って保存した画像データを印刷機で印刷するデジタルコピーシステムにおいて、複数部数出力指定であった場合に１部だけを出力設定に従って出力するステップと、出力のプレビュー画面を入表示装置に表示するステップと、入出力装置から保存データの編集をするステップと、修正された保存データを新たに設定された出力設定で印刷するステップを有することを特徴とした試しコピー方法。
【請求項２】
請求項１のシステムにおいて、１部だけ出力するとともに、表示装置にプレビューを表示することを特徴とした試しコピー方法。
【請求項３】
請求項１のシステムにおいて、表示装置にプレビューとして表示されたページの画像データを外部記憶装置から消去できることを特徴とした試しコピー方法。
【請求項４】
請求項３で消去されたページをページ構成からも消去し、ページ構成を再構築し、消去された近隣のページを再度プレビュー画面に表示することを特徴とした試しコピー方法。
【請求項５】
請求項１のシステムにおいて、表示装置にプレビューとして表示されたページの画像データを外部記憶装置から読み出し、画像変換を行い、再度外部記憶装置に保存することを特徴とした試しコピー方法。
【請求項６】
請求項１のシステムにおいて、表示装置にプレビューとしてページが表示されている時に、再度原稿を読み取って外部記憶装置に保存することを特徴とした試しコピー方法。
【請求項７】
請求項５で原稿を読み取って外部記憶装置に保存したデータに対応するページのプレビュー画像を、指定したページとページの間に挿入し、ページ構成を再構築し、プレビュー画面を書き換えることを特徴とした試しコピー方法。
【請求項８】
請求項６で再構築したページ構成で、画像データを印刷することを特徴とした試しコピー方法。
【請求項９】
請求項１のシステムにおいて、プレビュー表示状態で何ら変更を加えずに印刷を継続した場合、出力は「総出力−１」部されることを特徴とした試しコピー方法。
【請求項１０】
請求項１のシステムにおいて、プレビュー表示状態で何らかの変更が行われた場合、指定された出力部数分全て出力されることを特徴とした試しコピー方法。
【発明の詳細な説明】
【０００１】
【発明の属する技術分野】
本発明は試しコピー方法に関する。
【０００２】
【従来の技術】
従来の複写機での試しコピーは、複数部数指定でコピーを指定したときに、まずは１部を出力し、ユーザーはその出力結果を確認して、そのまま継続して出力させるか、中止して読み込みからやり直すかというシステムであった。
【０００３】
【発明が解決しようとする課題】
上記した従来の試しコピーでは、たとえ１ページ抜けていたり、原稿が逆さになってしまっていたりしても全ての原稿の読み込みを再度しなければならないと言う問題があった。
【０００４】
本発明は、上記の欠点を解決するために一度読み込んだ画像データをそのまま利用し、この画像データに関して入出力装置（コピーのＵＩ画面）から画像データの削除、編集（回転）、追加原稿読み込みによる画像データの追加をさせるようにした試しコピー方法を提供することにある。
【０００５】
【課題を解決するための手段】
本発明によれば、読み取り装置で原稿を読み取り画像データを生成し、画像データを外部記憶装置に保存し、ユーザーの設定した出力設定に従って保存した画像データを印刷機で印刷するデジタルコピーシステムにおいて、複数部数出力指定であった場合に１部だけを出力設定に従って出力するステップと、出力のプレビュー画面を入表示装置に表示するステップと、入出力装置から保存データの編集をするステップと、修正された保存データを新たに設定された出力設定で印刷するステップを有する。
【０００６】
［作　用］
本発明によれば、読み取り装置で原稿を読み取り画像データを生成し、画像データを外部記憶装置に保存し、ユーザーの設定した出力設定に従って保存した画像データを印刷機で印刷するデジタルコピーシステムにおいて、複数部数出力指定であった場合に１部だけを出力設定に従って出力し、出力のプレビュー画面を入表示装置に表示し、入出力装置から保存データの編集をし、修正された保存データを新たに設定された出力設定で印刷する。
【０００７】
【発明の実施の形態】
次に本発明について詳細に説明する。
【０００８】
図１は本発明の動作の流れを示すフローチャートである。図２は本発明のうち、出力結果編集に伴う作業を表すフローチャートである。図３はフローチャートを実行する為のハードウェアの概念図である。図４は入出力表示装置に表示された画像編集画面のイメージ図である。
【０００９】
次に動作について説明する。
【００１０】
本発明の元になるデジタルコピー機は、画像読取装置（スキャナ）と印刷機（プリンター）と生成された画像データを保存する外部記憶装置（ハードディスク）と出力設定用の表示装置兼入力装置（ＵＩ）を備えているものとする。原稿をスキャナで読み取り、出力面毎の画像データを生成し、その画像データをハードディスクに格納する。格納された画像データはユーザーの出力設定に従って、ページ構成順にプリンターで印刷される。このシステム上で本発明を以下で具体例を上げ説明する。
【００１１】
原稿はＡ４用紙４ページ（原稿１、原稿２、原稿３、原稿４）とし、ユーザーは１００部指定、ステープル処理を行ってのコピー作業を行うものとする。ユーザーは原稿をスキャナでページ順に読み取っていく。プリンターには読み取られた原稿のコピーが出力される。この時、１部分だけが出力されステープルされ出力がとまる（ステップ１１）。同時にＵＩに今読み込まれた画像データの内「原稿１」が表示されたプレビュー画面表示（図４）が表示される（ステップ１２）。
【００１２】
もし、まったく修正を行わない場合、ユーザーは「継続ボタン」（図４ボタン４）を押す。すると、残り９９部の印刷が開始され、プレビュー画面は消える（ステップ１６）。
【００１３】
もし、ステップ１３のプレビュー画面が表示されている場面でユーザーが出力を確認し、「原稿２」に対するページが不必要と気がついた場合、ユーザーは「原稿２」を削除すべく、プレビュー画面の「ページＵｐボタン」（図４ボタンＡ）を１回押す。すると、プレビュー画面の「ページのイメージ」（図４領域Ａ）は「原稿２」のページイメージに書き換わる。ここでユーザーが「削除ボタン」（図４ボタン１）を押す。すると、「原稿２」の画像データがハードディスクから削除される（ステップ２１）。ページが削除されたためにページ構成は「原稿１、原稿３、原稿４」の３ページに変更される（ステップ２２）。ここでユーザーが「継続ボタン」（図４ボタン４）を押すと、３ページがステープルされた１００部分の出力がなされる（ステップ１７）。
【００１４】
もし、ステップ１３のプレビュー画面が表示されている場面でユーザーが出力を確認し、「原稿２」に対するページがさかさまになってしまっていると気が付いたとき、ユーザーは「原稿２」を修正すべく、プレビュー画面の「ページＵｐボタン」（図４ボタンＡ）を１回押す。すると、プレビュー画面の「ページのイメージ」（図４領域Ａ）は「原稿２」のページイメージに書き換わる。ここでユーザーが「回転ボタン」（図４ボタン２）を押す。すると、「原稿２」の画像データがハードディスクから読み込まれ、１８０度回転変換した後に再び画像データをハードディスクに保存する（ステップ２３）。ここでユーザーが「継続ボタン」（図４ボタン４）を押すと、４ページ（原稿２のページは回転さている）がステープルされた１００部分の出力がなされる。
【００１５】
もし、ステップ１３のプレビュー画面が表示されている場面でユーザーが出力を確認し、「原稿２」に対するページの前に必要な原稿５が抜けていることに気がついた場合、ユーザーは「原稿５」を挿入すべく、プレビュー画面の「ページＵｐボタン」（図４ボタンＡ）を１回押す。すると、プレビュー画面の「ページのイメージ」（図４領域Ａ）は「原稿２」のページイメージに書き換わる。ここでユーザーは原稿５をスキャナにセットし、「追加ボタン」（図４ボタン３）を押す。すると、「原稿５」が読み込まれ、画像データが生成される（ステップ２４）。新しく生成された画像データは出力ページ構成の一部として挿入され「原稿１、原稿５、原稿２、原稿３、原稿４」と言う５ページの構成として再構築される（ステップ２５）。ここでユーザーが「継続ボタン」（図４ボタン４）を押すと、５ページがステープルされた１００部分の出力がなされる。
【００１６】
すなわち、図４は入出力表示装置に表示された画像編集画面のイメージ図である。読み込んだ画像イメージは実際の出力順に画面に表示され、最初は１ページ目が表示される。ボタンＡは画面上の画像イメージを次のページへ変更するためのボタンである。ボタンＢは画面上の画像イメージを前のページに変更するためのボタンである。ともに領域Ａが書き換わる。ボタン１は削除ボタンで、領域Ａに表示されているページに対応する画像データを消去させるためのボタンである。ボタン２は回転ボタンで、領域Ａに表示されているページを回転させて画像データとして再保存するためのボタンである。ボタン３は追加ボタンで、領域Ａに表示されているページの前にページを追加するためのボタンである。このボタンを押すと画像の読み取り操作が行われる。ボタン４は継続ボタンでこのボタンを押すことによってその時点で保存されている画像データを出力設定に従って印刷が開始される。
【００１７】
［他の実施例１］
プレビューでの編集項目としてページの入れ替えも可能である。原稿１と原稿３を入れ替え、「原稿３、原稿２、原稿１、原稿４、原稿５」という構成に変更。プレビュー画面と出力がこれによって変更される。
【００１８】
【発明の効果】
以上説明したように、読み取り装置で原稿を読み取り画像データを生成し、画像データを外部記憶装置に保存し、ユーザーの設定した出力設定に従って保存した画像データを印刷機で印刷するデジタルコピーシステムにおいて、複数部数出力指定であった場合に１部だけを出力設定に従って出力するステップと、出力のプレビュー画面を入表示装置に表示するステップと、入出力装置から保存データの編集をするステップと、修正された保存データを新たに設定された出力設定で印刷するステップを設けたことにより、再読み込みせずに一部のページのみの削除、回転ができるとともに、追加ページのみの読み込みだけでページ追加が可能である。また、入出力表示装置上での操作が可能であると言う効果もある。
【図面の簡単な説明】
【図１】本発明の動作の流れを示すフローチャートである。
【図２】本発明のうち、出力結果編集に伴う作業を表すフローチャートである。
【図３】フローチャートを実行する為のハードウェアの概念図である。
【図４】入出力表示装置に表示された画像編集画面のイメージ図である。
【符号の説明】
１１．．．１部のみを出力設定に従って出力するステップ
１２．．．出力のプレビュー表示を表示装置に行うステップ
１３．．．出力継続を確認するステップ
１４．．．画像データの削除、編集、追加を行うステップ
１５．．．修正されたかを判断するステップ
１６．．．（指定された部数−１部）分の印刷するステップ
１７．．．指定された部数分の印刷するステップ
２１．．．選択したページの画像データを消去するステップ
２２．．．削除ページの前ページの後ろに削除ページの後ろのページを接続するステップ
２３．．．選択したページの画像データを指定度数分回転させ、画像データとして再保存するステップ
２４．．．原稿の読み込みをするステップ
２５．．．生成された画像データを指定した前のページに追加するステップ
３１．．．読み取り装置
３２．．．中央処理装置
３３．．．印刷装置
３４．．．外部記憶装置
３５．．．ユーザーがコピー設定を行うための入出力装置（ＵＩ）
【図１】
2004015475.tif 000003
【図２】
2004015475.tif 000004
【図３】
2004015475.tif 000005
【図４】
2004015475.tif 000006